(57)【特許請求の範囲】
【請求項１】
湯沸しおよび魔法瓶保温が可能な断熱構造の内容器と、湯沸し時において上記内容器を加熱する湯沸し加熱手段と、該内容器内の湯の保温温度を設定する保温温度設定手段と、通常保温時において上記内容器を加熱する保温加熱手段と、通常保温時および魔法瓶保温時において上記内容器内の湯温を検出する湯温検出手段と、上記内容器の通常保温状態と魔法瓶保温状態とを任意に選択する保温選択手段とを備えてなる電気ポットにおいて、上記保温選択手段により上記魔法瓶保温状態が選択されている時に、再沸とうスイッチのＯＮ操作による湯沸しとは別に、上記湯温検出手段により検出される湯温が設定温度よりも低い所定温度以下になった時には、上記湯沸し加熱手段を制御して沸とう状態又は設定保温温度になるまで湯沸しを行う一方、その時の設定保温温度が沸とう温度よりも低い場合には、同設定保温温度への湯沸しを所定回数繰り返した後に魔法瓶保温状態に戻す湯沸し制御手段を設けたことを特徴とする電気ポット。
【請求項２】
湯沸しおよび魔法瓶保温が可能な断熱構造の内容器と、湯沸し時において上記内容器を加熱する湯沸し加熱手段と、該内容器内の湯の保温温度を設定する保温温度設定手段と、通常保温時において上記内容器を加熱する保温加熱手段と、通常保温時および魔法瓶保温時において上記内容器内の湯温を検出する湯温検出手段と、上記内容器の通常保温状態と魔法瓶保温状態とを任意に選択する保温選択手段とを備えてなる電気ポットにおいて、上記保温選択手段により上記魔法瓶保温状態が選択されている時に、再沸とうスイッチのＯＮ操作による湯沸しとは別に、当該魔法瓶保温状態が選択されてから所定時間以上経過した時には、上記湯沸し加熱手段を制御して沸とう状態又は設定保温温度になるまで湯沸しを行う一方、その時の設定保温温度が沸とう温度よりも低い場合には、同設定保温温度への湯沸しを所定回数繰り返した後に魔法瓶保温状態に戻す湯沸し制御手段を設けたことを特徴とする電気ポット。
【発明の詳細な説明】
【０００１】
【発明の属する技術分野】
【０００２】
本願発明は、魔法瓶保温を可能とした電気ポットに関するものである。
【従来の技術】
【０００３】
最近の電気ポットでは、当該電気ポットの内容器を保温性能の高い真空２重壁構造その他の断熱構造のもので構成し、保温時に保温ヒータをＯＦＦにして消費電力をゼロにした場合にも、湯の温度を可及的長時間に亘って高い温度に保持できるようにした魔法瓶タイプのものがある。
【０００４】
このような魔法瓶タイプの電気ポットでは、例えば用途に応じた所定の保温設定温度、例えばカップ麺等用高温保温温度９８℃、コーヒー、紅茶等用低温保温温度９０℃等での保温ヒータを制御した通常保温モードに加え、保温ヒータをＯＦＦにして魔法瓶状態で保温する魔法瓶保温モードの２種の保温モードが備えられており、例えば湯沸しを終わると、ブザーによる「沸とう報知」行った後に、湯沸しヒータをＯＦＦにして保温状態に移行し、以後は同保温モードの内のユーザーにより選択設定された所望の保温モードに移行して保温するようになっている。
【発明が解決しようとする課題】
【０００５】
ところで、従来の電気ポットの場合、上記魔法瓶保温モードは、あくまでも省エネ効果を中心に考えているために、例え湯温が低下しても、保温ヒータを制御するようになっていないことはもちろん、湯沸しヒータをも制御しない。
【０００６】
そのため、省エネ効果を重視して魔法瓶保温モードを選択した場合、保温時間の経過レベル如何によっては、ユーザーにとって冷めた湯を使用せざるを得ないということも起り得て、実用上必ずしも好まれる保温モードとなり得ていないのが現状である。
【０００７】
このような湯温の低下は、上記のような保温時間の経過のみでなく、もちろん上記内容器内に水の注ぎ足しがあったような場合にも生じる。そして、その場合には、所定時間内に急激な湯温の低下を招く。
【０００８】
本願発明は、このような事情に鑑み、魔法瓶保温モードにおいても、所定値以上の湯温の低下を検知して、湯沸しを行えるようにし、上述のような問題を解決した電気ポットを提供することを目的とするものである。
【課題を解決するための手段】
【０００９】
本願発明は、上記の目的を達成するために、それぞれ次のような課題解決手段を備え構成されている。
【００１０】
（１）  請求項１の発明
この発明の電気ポットは、湯沸しおよび魔法瓶保温が可能な断熱構造の内容器と、湯沸し時において上記内容器を加熱する湯沸し加熱手段と、該内容器内の湯の保温温度を設定する保温温度設定手段と、通常保温時において上記内容器を加熱する保温加熱手段と、通常保温時および魔法瓶保温時において上記内容器内の湯温を検出する湯温検出手段と、上記内容器の通常保温状態と魔法瓶保温状態とを任意に選択する保温選択手段とを備えてなる電気ポットにおいて、上記保温選択手段により上記魔法瓶保温状態が選択されている時に、再沸とうスイッチのＯＮ操作による湯沸しとは別に、上記湯温検出手段により検出される湯温が設定温度よりも低い所定温度以下になった時には、上記湯沸し加熱手段を制御して沸とう状態又は設定保温温度になるまで湯沸しを行う一方、その時の設定保温温度が沸とう温度よりも低い場合には、同設定保温温度への湯沸しを所定回数繰り返した後に魔法瓶保温状態に戻す湯沸し制御手段を設けて構成されている。
【００１１】
したがって、該構成では、上記保温選択手段により魔法瓶保温状態が選択されている魔法瓶保温モードであっても、上記湯温検出手段によって検出される湯温が所定温度以下に低下した時には、上記湯沸しヒータ等湯沸し加熱手段を制御して自動的に湯沸しを行わせ、沸とう状態または保温温度設定手段により設定された設定保温温度まで、湯温を高めることができるようになる。
【００１２】
そのため、ユーザーは、仮に相当に長い時間内、魔法瓶保温状態に維持したような時にも、冷めた湯を使わなくて済むようになる。
【００１３】
また同湯沸し工程において、例えば保温温度設定手段によって沸とう温度よりも低い保温温度が設定されているような場合、湯温検出手段の検出値が同沸とう温度よりも低い設定保温温度に達した段階で直ちに湯沸しを停止するようにした場合、対流がなく、湯全体の温度が均一に上昇していないために、同湯沸し停止後、再び魔法瓶保温状態に戻った時に、沸とう温度まで沸かした有効な対流がある時に比べると、湯温の低下が早すぎる問題が生じる。
【００１４】
そこで、そのような場合には、同沸とう温度よりも低い設定保温温度への湯沸しを所定回数繰り返した後に初めて、同沸とう温度よりも低い設定保温温度での魔法瓶保温状態に戻すようにする。
【００１５】
このようにすると、同所定回数の湯沸しの繰り返しによって生じる効果的な内容器内の対流によって、内容器内の湯の全体に十分に熱が通り、その湯温分布が均一になって、可及的に湯温の低下が抑制される。
【００１６】
（２）  請求項２の発明
この発明の電気ポットは、湯沸しおよび魔法瓶保温が可能な断熱構造の内容器と、湯沸し時において上記内容器を加熱する湯沸し加熱手段と、該内容器内の湯の保温温度を設定する保温温度設定手段と、通常保温時において上記内容器を加熱する保温加熱手段と、通常保温時および魔法瓶保温時において上記内容器内の湯温を検出する湯温検出手段と、上記内容器の通常保温状態と魔法瓶保温状態とを任意に選択する保温選択手段とを備えてなる電気ポットにおいて、上記保温選択手段により上記魔法瓶保温状態が選択されている時に、再沸とうスイッチのＯＮ操作による湯沸しとは別に、当該魔法瓶保温状態が選択されてから所定時間以上経過した時には、上記湯沸し加熱手段を制御して沸とう状態又は設定保温温度になるまで湯沸しを行う一方、その時の設定保温温度が沸とう温度よりも低い場合には、同設定保温温度への湯沸しを所定回数繰り返した後に魔法瓶保温状態に戻す湯沸し制御手段を設けて構成されている。
【００１７】
したがって、該構成では、上記保温選択手段により魔法瓶保温状態が選択されている魔法瓶保温モードであっても、当該魔法瓶保温状態に移行してから所定時間以上経過し、湯温が所定温度以下に低下したと想定される時には、上記湯沸しヒータ等湯沸し加熱手段を制御して自動的に湯沸しを行わせ、沸とう状態または保温温度設定手段により設定された設定保温温度まで、湯温を高めることができるようになる。
【００１８】
そのため、ユーザーは、仮に相当に長い時間内、魔法瓶保温状態に維持したような時にも、冷めた湯を使わなくて済むようになる。
【００１９】
また同湯沸し工程において、例えば保温温度設定手段によって沸とう温度よりも低い保温温度が設定されているような場合、湯温検出手段の検出値が同沸とう温度よりも低い設定保温温度に達した段階で直ちに湯沸しを停止するようにした場合、対流がなく、湯全体の温度が均一に上昇していないために、同湯沸し停止後、再び魔法瓶保温状態に戻った時に、沸とう温度まで沸かした有効な対流がある時に比べると、湯温の低下が早すぎる問題が生じる。
【００２０】
そこで、そのような場合には、同沸とう温度よりも低い設定保温温度への湯沸しを所定回数繰り返した後に初めて、同沸とう温度よりも低い設定保温温度での魔法瓶保温状態に戻すようにする。
【００２１】
このようにすると、同所定回数の湯沸しの繰り返しによってに生じる効果的な内容器内の対流によって、内容器内の湯の全体に十分に熱が通り、その湯温分布が均一になって、可及的に湯温の低下が抑制される。
【発明の効果】
【００２２】
以上の結果、本願発明の電気ポットによると、魔法瓶保温状態においても、必要に応じて湯沸しがなされるようになり、保温時間の経過や注水により一旦所定値以下に湯温が低下しても、所定時間経つと再び所定の温度以上に湯温が高められる。
【００２３】
そのため、従来に比べて魔法瓶保温モードの使い勝手が良くなり、その本来の省エネ性能自体も有効に活用されることになる。
【発明の実施の形態】
【００２４】
以下、添付の図面を参照して、先ず本願発明の電気ポットの、後に述べる各実施の形態に共通な電気ポット本体部および制御装置部分の構成と作用について説明する。
【００２５】
（電気ポット本体部の構成）
先ず図１ないし図３には、後述する本願発明の各実施の形態に共通な電気ポットの本体および要部の構成が示されている。
【００２６】
この電気ポットは、先ず図１および図２に示すように、貯湯用の内容器３を備えた容器本体１と、該容器本体１の上部側開口部を開閉する蓋体２と、上記内容器３を湯沸し時において加熱する加熱手段である湯沸しヒータ４Ａと、上記内容器３を保温時において加熱する加熱手段である保温ヒータ４Ｂと、上記内容器３内の湯を外部へ給湯するための給湯通路５と、該給湯通路５の途中に設けられた実流量計測用の流量センサ８０と、ＡＣ電源が接続されている状態において上記給湯通路５を介して上記内容器３内の湯を外部に送り出す電動給湯ポンプ６と、ＡＣ電源が接続されていない状態において上記給湯通路５を介して内容器３内の湯を外部に送り出すエア式の手動給湯ポンプ１８とを備えて構成されている。
【００２７】
上記容器本体１は、外側面部を構成する合成樹脂製の筒状の外ケース７と、内側面部を構成する上記内容器３と、上記外ケース７と内容器３とを上部側で一体に結合固定する合成樹脂製の環状の肩部材８と、底面部を構成する合成樹脂製の皿状の底部材９とからなっている。
【００２８】
上記内容器３は、例えば、ステンレス製の有底円筒形状の内筒１０と、同じくステンレス製の円筒形状の外筒１１との間に真空断熱空間を設けた保温性能の高い真空二重壁構造の断熱構造体からなっており、その底部には、外周部を除いて上記内筒１０の底面部のみにより構成された１枚板部３ａが形成されている。該１枚板部３ａは若干上方に高く突出して成形されていて、その下面側には、上記湯沸しヒータ４Ａと保温ヒータ４Ｂ（例えば雲母板にワット数の異なる２組の発熱体を保持させたマイカヒータよりなる）が取り付けられている。
【００２９】
上記内容器３の上端部には、上記内筒１０側の上端部を中心軸方向に向けて絞り加工したヒートキープ構造の小径の給水口３ｂが形成されている。また符号１２は、上記内容器３の温度（換言すれば、内容器３内の湯の温度）を検出する湯温検出手段として作用する底センサ（湯温センサ）であり、サーミスタよりなっている。さらに、符号１３は上記内容器３の満水位ＷＬ2を表示する凸状の満水位表示部である。また、ＷＬ1は低水位（１／２水位）を示している。
【００３０】
上記蓋体２は、合成樹脂製の上板１４と該上板１４に対して外周縁が結合された合成樹脂製の下板１５とからなっており、上記肩部材８の後部に設けられたヒンジ受け１６に対してヒンジピン１７を介して上下方向に開閉自在且つ着脱自在に支持されている。
【００３１】
この蓋体２には、ＡＣ電源が接続されていない状態（マグネットキャッチ型の電源プラグが外された状態）でも上記給湯通路５を介して外部への給湯が可能なように、手動押圧操作により圧縮作動されるエア式の手動給湯ポンプ１８が配設されている。該手動給湯ポンプ１８は、上記蓋体２の略中央部に形成された円筒部１９内に配設されたベローズタイプのものとされており、押圧カバー２０Ａと押圧板２０Ｂを介して蛇腹構造のベローズ２０Ｃを下方に押圧操作することにより、ベローズ２０Ｃ内の加圧空気２０Ｄが空気吹込口を介して内容器３内に吹き込まれ、該加圧空気の吹き込み圧力によって内容器３内のお湯が給湯通路５を介して外部へ押し出されるようになっている。また、２０Ｅはベローズ２０Ｃの上方への復元バネ、１５Ａは下板１５側のベローズ支持板である。なお、符号２１ａ〜２１ｄは、下方から上方に向けて相互に連通した蓋体２の蒸気排出通路、２２は同蒸気排出通路２１ａ〜２１ｄの蒸気導出部２１ａ側途中に配設された転倒止水弁である。
【００３２】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。
【００３３】
上記給湯通路５の上流端側である上記内容器３の下部位置には、内容器３側湯導入筒６ａ、給湯ポンプ側湯吸入口６ｂを介して直流型の電動給湯ポンプ６が配設されており、この給湯通路５においては上記湯導入筒６ａを介して湯吸入口６ｂより吸入された湯が当該電動給湯ポンプ６のポンピング作用により、その吐出口６ｃから吐出され、同給湯通路５の直管部５ｂを経て、上記流量センサ８０内の流量検出通路を通り、転倒止水弁側連結パイプ５ｃから外部への湯注出口５ｄに導かれる。
【００３４】
さらに、符号３５は、後述する各種スイッチ類の操作面や液晶表示部の表示面を備えた操作パネル部、５１ａは、マイコン制御部６０や以下に述べる各種スイッチ類３８〜４１，４２，４３、液晶表示装置（駆動部）等を備えたマイコン基板、５１は、液晶表示部４７の支持部材、５０は、上記電動給湯ポンプ６の駆動回路や湯沸しヒータ４Ａ、保温ヒータ４Ｂの加熱制御回路、安定化直流電源回路等を備えた電源基板である。
【００３５】
上記操作パネル部３５には、給湯スイッチ３８、給湯ロック解除スイッチ３９、再沸騰／保温選択スイッチ４０、おやすみタイマースイッチ４１、定量給湯モード選択時における給湯量設定用アップダウンスイッチ４２，４３、再沸騰表示用ＬＥＤ４４、保温動作表示用ＬＥＤ４５、給湯ロック解除表示用ＬＥＤ４６、液晶表示部４７等が設けられている。上記各スイッチ３８，３９，４０，４１，４２・４３は、それぞれ操作キータイプのものとなっており、それら各操作キーの操作による各スイッチ部のＯＮ，ＯＦＦ状態は、それぞれ後述するマイコン制御部６０に入力されるようになっている。
【００３６】
上記液晶表示部４７には、例えば時刻／時間／湯温／作動状態等兼用表示部４７ａ、保温設定温度表示部４７ｂ、まほうびん保温表示部４７ｃが設けられており、各種の便利な情報表示がなされるようになっている。
【００３７】
この電動給湯型の電気ポットは、上記給湯スイッチ３８を押し続ける限り、連続的に上記電動給湯ポンプ６を駆動して湯を注出できる連続給湯モードと、給湯スイッチ３８を押し続けても、予めアップダウンスイッチ４２，４３で設定した所定量の湯を注出すると上記電動給湯ポンプ６が停止する定量給湯モードとの２種の給湯モードを備えて構成されている。
【００３８】
そして、それに使用される流量センサ８０は、例えば回転支軸８１の外周に筒状のハブを介して螺旋状の回転スクリュー羽根８２を遊嵌し、それらを給湯通路５の直管部５ｂの上端に嵌合筒８３を介して嵌合固定して構成されている。
【００３９】
（制御回路部の構成）
次に図３は、上記構成の電気ポット本体における制御回路部の構成を示すブロック図である。
【００４０】
図３中、符号５７は例えば平滑コンデンサおよび電源ＩＣよりなり、マイコン制御部６０および加熱制御部５４、ポンプ電源部５５等に直流電源を供給する直流安定化電源部、また５４は湯沸しヒータ４Ａおよび保温ヒータ４ＢのＯＮ，ＯＦＦ制御用の加熱制御部、４Ａ，４Ｂは上述した湯沸しヒータ４Ａおよび保温ヒータ４Ｂよりなる加熱手段、３８〜４３は上述の給湯スイッチ他のスイッチ、６は上述の直流型の電動給湯ポンプである。
【００４１】
上記湯沸しヒータ４Ａは、例えば上記マイコン制御部６０から、上記加熱制御部５４に湯沸しヒータＯＮ信号が出力されると、例えば図示しないトランジスタを介して電源リレーを作動させ、それに対応して電源スイッチがＯＮになることにより、加熱制御される。この発明の場合、上記マイコン制御部６０は、当該電気ポットの保温制御モードが、例えば魔法瓶保温モードの場合であっても、沸とうスイッチ４０が押されると、電源リレーをＯＮにして湯沸しを行う。
【００４２】
また、上記保温ヒータ４Ｂは、沸とう終了後、保温状態に移行して上記マイコン制御部６０から、上記加熱制御部５４に保温ヒータＯＮ信号が出力されると、例えば図示しないトランジスタがＯＮになることにより、トライアックを駆動させて加熱制御される。
【００４３】
また、上記マイコン制御部６０には、さらに液晶表示部４７、再沸騰表示用ＬＥＤ４４、保温動作表示用ＬＥＤ４５、給湯ロック解除表示用ＬＥＤ４６等の各種ＬＥＤ表示部や給湯スイッチ３８、再沸騰／保温選択スイッチ４０、給湯ロック解除スイッチ３９、おやすみタイマースイッチ４１等の各種操作部や底センサ（サーミスタ）１２、流量センサ８０などの各種センサー部等が、各々図示しない入出力ポートを介して接続されている。
【００４４】
そして、以上の電気ポットでは、湯沸時には上記湯沸しヒータ４Ａを使用して高加熱出力で速やかに沸とう状態まで加熱した後に、ブザー音による沸とう報知（湯沸し完了報知）を行って湯沸しヒータ４ＡをＯＦＦにし、その後、保温工程（保温状態）に移行する。
【００４５】
そして、同保温工程には上述の保温選択スイッチ４０によって、例えば第１の設定保温温度９８℃、第２の設定保温温度９０℃の２種の保温設定温度に保温する通常保温モードと保温ヒータ４ＢをＯＦＦにして魔法瓶状態で保温する魔法びん保温モードの２種の保温モードが準備されており、それらが任意に選択される。
【００４６】
そして、先ず通常保温モードでは、保温ヒータ４Ｂを加熱制御し、上記底センサ（湯温センサ）１２により検出された実際の湯温Ｔが、上記保温選択スイッチ４０およびマイコン制御部６０を中心とする保温温度設定手段によって設定された第１の設定保温温度９８℃又は第２の設定保温温度９０℃に対応した温度になると、上記液晶表示部４７の湯温表示部に同対応する湯温を表示する。次に、魔法びん保温モードでは、上記保温ヒータ４ＢをＯＦＦにし、内容器３自体の魔法瓶構造による断熱保温機能によって保温する。
【００４７】
そして、この出願の発明では、同魔法びん保温モードにおいても、以下の各実施の形態に示すように、必要に応じて湯沸しを行えるようにして、省エネ性と使用上の利便性とを両立させている。
【００４８】
（実施の形態１）
先ず図４は、本願発明の実施の形態１に係る電気ポットの魔法瓶保温制御の内容を示すフローチャートである。
【００４９】
すなわち、該制御では、まず最初にステップＳ1で、上記電気ポットの現在の動作状態が、湯沸しヒータ４ＡがＯＦＦで、保温動作表示用ＬＥＤ４５が点灯している保温中（保温ヒータ４ＢのみがＯＮ動作している時）であるか否かを判定する。その結果、ＮＯの同保温中でない時は、そのまま本制御を終了する（通常保温実行）。他方、ＹＥＳの保温中である時には、次にステップＳ2に進んで、上記保温選択スイッチ４０が魔法びん保温モードを選択している魔法瓶保温状態であるか否かを判定する。
【００５０】
そして、その結果、ＮＯの魔法瓶保温状態でない時には、そのまま本制御を終える（通常保温継続）。他方、ＹＥＳの魔法瓶保温状態の場合には、次にステップＳ3に進んで、上記底センサ１２により上記内容器３内の湯温Ｔを測定した後、さらにステップＳ4に進んで、同測定された湯温Ｔが所定の設定温度Ｔｓ（例えば一応お湯しとて使える限界温度Ｔｓ＝６０℃）以下であるか否かを判定する。
【００５１】
その結果、ＮＯの時は、そのまま本制御を終える（魔法びん保温継続）。他方、ＹＥＳの上記測定温度Ｔが同設定温度Ｔｓ以下（Ｔ≦Ｔｓ）の時は、上記魔法瓶保温状態の所定時間（例えば２〜３時間）以上の継続により、湯温が冷めて例えば６０℃以下の低湯温になっていると認めて、ステップＳ5に進んで、上述の湯沸しヒータ４ＡをＯＮにし、湯沸し加熱制御を行って、例えば沸とう状態まで加熱する。
【００５２】
この結果、該魔法瓶保温制御によれば、従来何らの加熱制御が行われてなかった魔法瓶保温状態においても、必要に応じて湯沸しがなされるようになり、保温時間の経過により一旦所定値以下に湯温が低下しても、所定時間経つと再び所定の温度以上に湯温が高められ、これらが繰り返されるので、ユーザーは冷めた湯を使用しなくてもよくなる。
【００５３】
そのため、従来に比べて魔法びん保温モードの使い勝手が良くなり、その本来の省エネ性能自体も有効に活用されるようになる。
【００５４】
なお、以上の説明では、ステップＳ5の最終的な湯沸し工程において、例えば沸とう状態まで湯沸し加熱制御を行うようにしたが、これは例えば前述した保温選択スイッチ４０によって選択可能な第１，第２の保温設定温度９８℃，９０℃、あるいは又その他の少なくとも上記６０℃よりも所定温度以上高い任意の設定温度まで加熱制御するようにしてもよいことはもちろんである。
【００５５】
ところで、一方、そのように沸とう温度よりも低い温度で湯沸しを停止するようにした場合、対流がなく、湯全体の温度が均一に上昇していないために、同湯沸し停止後、再び魔法瓶保温状態に戻った時に、沸とう温度まで沸かした有効な対流がある時に比べると、湯温の低下が早い。
【００５６】
そこで、同場合には、それら所定温度への湯沸しを所定回数繰り返した時に初めて、魔法瓶保温状態に戻すようにする。
【００５７】
このようにすると、同所定回数の湯沸しの繰り返しによって生じる効果的な内容器内の対流によって、内容器３内の湯の全体に十分に熱が通り、その湯温分布が均一になって、可及的に湯温の低下が抑制される。
【００５８】
（実施の形態２）
次に図５は、本願発明の実施の形態２に係る電気ポットの魔法瓶保温制御の内容を示すフローチャートである。
【００５９】
すなわち、該制御では、まず最初にステップＳ1で、上記電気ポットの現在の動作状態が、湯沸しヒータ４ＡがＯＦＦで、保温動作表示用ＬＥＤ４５が点灯している保温中（保温ヒータ４ＢのみがＯＮ動作している時）であるか否かを判定する。その結果、ＮＯの同保温中でない時は、そのまま本制御を終了する（通常保温制御実行）。他方、ＹＥＳの保温中である時には、次にステップＳ2に進んで、上記保温選択スイッチ４０が魔法びん保温モードを選択している魔法瓶保温状態であるか否かを判定する。
【００６０】
そして、その結果、ＮＯの魔法瓶保温状態でない時には、そのまま本制御を終える（通常保温制御継続）。他方、ＹＥＳの魔法瓶保温状態の場合には、次にステップＳ3に進んで、所定の外気温状態において上記内容器３内の湯温Ｔが所定の設定温度Ｔｓ（例えばＴｓは、上述のように一応お湯として使える限界温度６０℃）以下に低下する保温経過時間ｔｓをカウントするタイマーｔのカウント動作を開始させる。次に、ステップＳ4に進み、同タイマーｔのカウント値が、上記所定の保温経過時間ｔｓに対応する時間をカウントアップしたか否かを判定する。
【００６１】
その結果、ＮＯの時は、そのまま本制御を終える（魔法瓶保温制御継続）。他方、ＹＥＳの上記保温経過時間ｔｓが経過して、上記内容器３内の湯の温度が上記お湯として使える限界温度６０℃以下に低下していると判断される時は、ステップＳ5に進んで、上述の湯沸しヒータ４ＡをＯＮにし、湯沸し加熱制御を行って、例えば沸とう状態まで加熱する。
【００６２】
この結果、該魔法瓶保温制御によれば、従来何らの加熱制御が行われてなかった魔法瓶保温状態においても、必要に応じて湯沸しがなされるようになり、保温時間の経過により一旦所定値以下に湯温が低下しても、所定時間経つと再び所定の温度以上に湯温が高められる。
【００６３】
そのため、従来に比べて魔法びん保温モードの使い勝手が良くなり、その本来の省エネ性能自体も有効に活用されるようになる。
【００６４】
なお、以上の説明では、最終的な湯沸し工程において、例えば沸とう状態まで湯沸し加熱制御を行うようにしたが、これは例えば前述した保温選択スイッチ４０によって選択可能な第１，第２の保温設定温度９８℃，９０℃、あるいは又その他の少なくとも上記６０℃よりも所定温度以上高い任意の設定温度まで加熱制御するようにしてもよい。
【００６５】
そして、そのように沸とう温度よりも低い温度で湯沸しを停止するようにした場合、対流がなく、湯全体の温度が均一に上昇していないために、同湯沸し停止後、魔法瓶保温状態に戻った時に、沸とうまで沸かした有効な対流がある時に比べると、湯温の低下が早い。
【００６６】
そこで、同場合には、それら所定温度への湯沸しを所定回数繰り返した時に初めて、魔法瓶保温状態に戻すようにする。
【００６７】
このようにすると、同所定回数の湯沸しの繰り返しによって生じる効果的な内容器内の対流によって、内容器３内の湯の全体に十分に熱が通り、その湯温分布が均一になって、可及的に湯温の低下が抑制される。
【００６８】
（実施の形態３）
次に図６は、本願発明の実施の形態３に係る電気ポットの魔法瓶保温制御の内容を示すフローチャートである。
【００６９】
すなわち、該制御では、まず最初にステップＳ1で、上記電気ポットの現在の動作状態が、湯沸しヒータ４ＡがＯＦＦで、保温動作表示用ＬＥＤ４５が点灯している保温中（保温ヒータ４ＢのみがＯＮ動作している時）であるか否かを判定する。その結果、ＮＯの同保温中でない時は、そのまま本制御を終了する（通常保温制御実行）。他方、ＹＥＳの保温中である時には、次にステップＳ2に進んで、上記保温選択スイッチ４０が魔法びん保温モードを選択している魔法瓶保温状態であるか否かを判定する。
【００７０】
そして、その結果、ＮＯの魔法瓶保温状態でない時には、そのまま本制御を終える（通常保温制御継続）。他方、ＹＥＳの魔法瓶保温状態の場合には、次にステップＳ3に進んで、上記底センサ１２により上記内容器３内の湯温Ｔ1（第１湯温とする）を測定した後、さらにステップＳ4に進んで、所定の経過時間５秒をカウントする５秒タイマーのタイマー動作をスタートさせる。そして、続くステップＳ5で同時間５秒の経過を判定し、ＹＥＳになると、ステップＳ6で再度上記内容器３内の湯温Ｔ2（第２湯温とする）を測定する。そして同測定された所定時間５秒内の第２湯温Ｔ2と第１湯温Ｔ1との差Ｔｓ（Ｔｓ＝Ｔ1−Ｔ2）が所定の温度幅５℃以上に大であるか否かを、さらにステップＳ7で判定する。
【００７１】
その結果、ＮＯの時は、そのまま本制御を終える（魔法瓶保温継続）。他方、ＹＥＳの上記第１，第２の測定湯温Ｔ1，Ｔ2の５秒間における温度差Ｔｓが５℃以上の、通常の自然放熱時の温度の低下速度に比べて遥かに温度の低下速度が早い時は、上記魔法瓶保温状態において注水が行われたために、湯温が大きく低下した場合であると認めて、ステップＳ8に進んで、上述の湯沸しヒータ４ＡをＯＮにし、湯沸し加熱制御を行って、例えば沸とう状態まで加熱する。
【００７２】
この結果、該魔法瓶保温制御によれば、従来何らの加熱制御が行われてなかった魔法瓶保温状態においても、必要に応じて湯沸しがなされるようになり、注水により一旦所定値以下に急激に湯温が低下しても、所定時間経つと再び所定の温度以上に湯温が高められる。
【００７３】
そのため、従来に比べて魔法びん保温モードの使い勝手が良くなり、その本来の省エネ性能自体も有効に活用されるようになる。
【００７４】
（実施の形態４）
なお、上述のような魔法瓶保温状態では、一般にマグネットキャッチ構造の電源プラグを抜いて持ち運ばれることも多く、そのような場合、再び同電源プラグが接続された時には相当な時間が経過していることが多い。
【００７５】
そこで、上記魔法瓶保温状態において、そのように一旦電源プラグが抜かれて再び電源プラグが接続された時にも、そのまま魔法びん保温モードを維持させることができるようにするとともに、さらに、それを条件として上述の図４〜図５のような湯沸し加熱制御を行わせるようにして湯温の上昇を図ることも有効である。
【００７６】
この場合の湯沸しは、沸とうでなく、上述した所定の温度まででもよい。
【００７７】
（その他の実施の形態）
さらに、本願発明の実施の形態としては、以上の各実施の形態の他にも、その要旨を活用した次のような種々の実施の形態が採用される。
【００７８】
（１）  上述のように本願発明の電気ポットでは、操作パネル部に液晶表示部４７が設けられている。
【００７９】
したがって、例えば上記各実施の形態の構成において、保温時間の経過又は注水による湯温の低下を湯温表示部に表示し、しかも同表示をフリックさせるなどして、ユーザーに警告することも可能である。
【００８０】
（２）  魔法瓶保温時において、一旦電源プラグが抜かれた後に、それまでの保温温度の設定が変更され、再び電源プラグが接続された時には、上述の各実施の形態と同様の湯沸しを新たに設定された保温温度まで行うようにする。
【００８１】
（３）  魔法瓶保温状態において、お休みタイマーの設定を行った場合には、同タイマーの設定時間が経過するまでの間、所定の時間が経過する毎に、湯沸しを行うようにする。
【図面の簡単な説明】
【図１】  本願発明の各実施の形態に共通な電気ポット本体部分の構成を示す右側方から見た中央縦断面図である。
【図２】  同電気ポット本体部分の平面図である。
【図３】  同電気ポット本体部分の制御ブロック回路図である。
【図４】  本願発明の実施の形態１に係る魔法瓶保温制御の内容を示すフローチャートである。
【図５】  本願発明の実施の形態２に係る魔法瓶保温制御の内容を示すフローチャートである。
【図６】  本願発明の実施の形態３に係る魔法瓶保温制御の内容を示すフローチャートである。
【符号の説明】
１は容器本体、２は蓋体、３は内容器、４Ａは湯沸しヒータ、４Ｂは保温ヒータ、５は給湯通路、６は電動給湯ポンプ、７は外ケース、１０内筒、１１は外筒、１２は底センサ、１８は手動給湯ポンプ、４７は液晶表示部、４７ｂは保温設定温度表示部、６０はマイコン制御部、８０は流量センサである。
【図１】
0003736456.tif 000002
【図２】
0003736456.tif 000003
【図３】
0003736456.tif 000004
【図４】
0003736456.tif 000005
【図５】
0003736456.tif 000006
【図６】
0003736456.tif 000007